(57)【要約】【課題】両締付片部が変形するのを防止することができ、バッテリーポストに対する保持力を確保することができるバッテリーターミナルを提供する。【解決手段】バッテリーターミナル１０は、互いに対向する一対の締付片部１２、１３を備え、両締付片部１２、１３にはボルト７０を挿通可能な貫通孔が同軸で貫通して設けられている。両締付片部１２、１３には、それぞれ、貫通孔１７、１８の周囲からこれら締付片部１２、１３の内面間（対向面面）に突出するバーリング部２３、２４が設けられている。両締付片部１２、１３のバーリング部２３、２４が、締付時に両締付片部１２、１３の内面間の中央部を通る軸線方向において互いに重なるように配置されている。【選択図】図２
2016091754.tif 000002
【特許請求の範囲】
【請求項１】
バッテリーポストを包囲する弧状の電極保持部と、前記電極保持部の両端から互いに対向して突出する板状の一対の締付片部とを備え、前記一対の締付片部にはこれら締付片部を同軸で貫通する貫通孔が設けられ、前記貫通孔にはボルトが通され、前記ボルトの軸部がナットに螺合されることにより、前記ボルトの頭部と前記ナットとの間にて両締付片部を接近させ、これによって前記電極保持部を縮径変形させて前記バッテリーポストに固定されるバッテリーターミナルであって、
前記両締付片部には、それぞれ、前記貫通孔の周囲からこれら締付片部の対向面間に突出するバーリング部が一体に設けられ、
前記両締付片部の前記バーリング部は、締付時に前記両締付片部の対向面間の中央部を通る軸線方向において互いに重なるように配置されていることを特徴とするバッテリーターミナル。
【請求項２】
前記両締付片部の前記バーリング部は、前記貫通孔の周方向に沿った円弧筒状の形態とされ、締付時に前記貫通孔と同心の円上に配置されるようになっていることを特徴とする請求項１記載のバッテリーターミナル。
【請求項３】
前記両締付片部の前記バーリング部は、締付時に前記軸方向に対して傾斜する方向に沿って対向する傾斜縁を有していることを特徴とする請求項１記載のバッテリーターミナル。
【請求項４】
前記両締付片部のうちの一方の締付片部には、その端部から前記両締付片部の対向面間に突出するリブが設けられ、前記一方の締付片部の前記バーリング部は、前記リブの位置する側とは反対側の端部寄りに配置され、前記リブとの間に成形用金型の設置スペースが確保されていることを特徴とする請求項２又は３記載のバッテリーターミナル。
【発明の詳細な説明】
【技術分野】
【０００１】
本発明は、バッテリ―ターミナルに関する。
【背景技術】
【０００２】
特許文献１に開示されたバッテリーターミナルは、バッテリーポストを包囲する電極保持部（弧状締付部）と、電極保持部の両端から外側へ互いに対向して突出する一対の締付片部（板状突出部）とを備えている。両締付片部には、これら締付片部を同軸で貫通する貫通孔が設けられている。両締付片部の貫通孔には、ボルトの軸部が通される。ボルトの軸部にナットが螺合され、両締付片部が互いに接近する方向に変位させられることにより、電極保持部が縮径変形してバッテリーポストに固定されるようになっている。
【先行技術文献】
【特許文献】
【０００３】
【特許文献１】特開２０１０−３３７８３号公報
【発明の概要】
【発明が解決しようとする課題】
【０００４】
ところで、上記の場合に、ボルトとナットが過度なトルクで締め付けられ、ボルトの頭部とナットを受ける両締付片部が内側に湾曲変形することがある。仮に、両締付片部が内側に湾曲変形すると、両締付片部が正規の締付位置に至る前にこれら変形部分が干渉して、所定の締め代を得ることができず、結果としてバッテリーポストの対する保持力が低下するおそれがある。
【０００５】
本発明は上記のような事情に基づいて完成されたものであって、両締付片部が変形するのを防止することができ、且つ、バッテリーポストに対する保持力を確保することができるバッテリーターミナルを提供することを目的とする。
【課題を解決するための手段】
【０００６】
バッテリーポストを包囲する弧状の電極保持部と、前記電極保持部の両端から互いに対向して突出する板状の一対の締付片部とを備え、前記一対の締付片部にはこれら締付片部を同軸で貫通する貫通孔が設けられ、前記貫通孔にはボルトが通され、前記ボルトの軸部がナットに螺合されることにより、前記ボルトの頭部と前記ナットとの間にて両締付片部を接近させ、これによって前記電極保持部を縮径変形させて前記バッテリーポストに固定されるバッテリーターミナルであって、前記両締付片部には、それぞれ、前記貫通孔の周囲からこれら締付片部の対向面間に突出するバーリング部が一体に設けられ、前記両締付片部の前記バーリング部は、締付時に前記両締付片部の対向面間の中央部を通る軸線方向において互いに重なるように配置されているところに特徴を有する。
【発明の効果】
【０００７】
両締付片部の貫通孔の周囲にバーリング部が一体に設けられているため、締付時に両締付片部が湾曲変形するのを回避することができる。
ここで、仮に、締付時に両締付片部のバーリング部の突出端同士が、両締付片部の対向面間の中央部を通る軸線方向に沿って互いに突き合う構成であると、両締付片部の対向面間に、少なくとも両バーリング部の突出寸法を加算したクリアランスが形成されることになるため、両締付片部の対向面間の距離が大きくなりすぎて、バッテリーポストを保持するに足る締め代を得ることができなくなるおそれがある。その点、上記構成によれば、両締付片部のバーリング部が締付時に両締付片部の対向面間の中央部を通る軸線方向において互いに重なるように配置されているため、両バーリング部の突出寸法を確保しつつも、両締付片部の対向面間の距離を小さく抑えることができる。その結果、バッテリーポストに対する所定の保持力を確保することができる。
【図面の簡単な説明】
【０００８】
【図１】本発明の実施例１において、バッテリーターミナルとボルトとナットの分離正面図である。
【図２】ボルトとナットの締め付けによって両締付片部が互いに接近し、電極保持部がバッテリーポストに固定された状態を示す正面図である。
【図３】バッテリーターミナルの一部破断側面図である。
【図４】本発明の実施例２において、バッテリーターミナルの正面図である。
【図５】同じく、図２相当図である。
【発明を実施するための形態】
【０００９】
本発明の好ましい形態を以下に示す。
前記両締付片部の前記バーリング部は、前記貫通孔の周方向に沿った円弧筒状の形態とされ、締付時に前記貫通孔と同心の円上に配置されるようになっている。これによれば、締付時に両バーリング部を円筒状の完成形態にすることができる。
【００１０】
前記両締付片部の前記バーリング部は、締付時に前記軸方向に対して傾斜する方向に沿って対向する傾斜縁を有している。これによれば、締付時に両バーリング部の傾斜縁同士を、両締付片部の接近方向で互いに突き合わせることができるため、両バーリング部の突き合わせを回避する設定にする必要がなく、製造が容易になる。
【００１１】
前記両締付片部のうちの一方の締付片部には、その端部から前記両締付片部の対向面間に突出するリブが設けられ、前記一方の締付片部の前記バーリング部は、前記リブの位置する側とは反対側の端部寄りに配置され、前記リブとの間に成形用金型の設置スペースが確保されている。設置スペースに設置される成形用金型によって、一方の締付片部のバーリング部とリブを支障なく成形することができる。
【００１２】
＜実施例１＞
本発明の実施例１を図１〜図３によって説明する。本実施例１のバッテリーターミナル１０は、導電性の金属板を曲げ加工等して一体に成形され、バッテリーポスト９０を包囲する弧状、詳細には平面視Ｃ字形の電極保持部１１と、電極保持部１１の両端（両端開口縁）から前方（図３の向かって右側）へ互いに対向して突出する板状の一対の締付片部１２、１３と、両締付片部１２、１３が位置する側とは反対側の端部から後方（図３の向かって左側）へ突出するバレル状の電線接続部１４とを備えている。
【００１３】
図１に示すように、バッテリーポスト９０は、上方へ向けて僅かに縮径した円錘台形状をなし、バッテリー本体９１の上面に立設されている。電極保持部１１は、帯板状をなし、バッテリーポスト９０の外周面を覆って抱持可能とされている。
【００１４】
図３に示すように、電線接続部１４は、電極保持部１１の後部上端から後方へ突出する形態とされ、電線８０の端末部にて露出する導体部８１に圧着により接続されている。電線８０は、電線接続部１４から後方へ延出して配索されている。この場合、電線接続部１４と両締付片部１２、１３は、電線８０の配索方向（図３の左右方向）に同軸上に並んで配置されている。
【００１５】
両締付片部１２、１３は、それぞれ、側面視略矩形の平板状の座部１５、１６（座部１５については図３を参照）を有している。図１及び図２に示すように、両座部１５、１６は、バッテリーポスト９０の軸方向（上下方向）に沿って互いに略平行に配置されている。両座部１５、１６の中央部には、これら座部１５、１６を左右方向（座部１５、１６の板厚方向であって、後述するボルト７０の軸方向）に同軸で貫通する円形の貫通孔１７、１８が設けられている。両締付片部１２、１３の貫通孔１７、１８は互いに同径に形成されている。
【００１６】
図２に示すように、両貫通孔１７、１８には、図２の向かって右側の締付片部（一方の締付片部であって、以下、第１締付片部１２という）の位置する側から図２の向かって左側の締付片部（他方の締付片部であって、以下、第２締付片部１３という）の位置する側へ向けてボルト７０の軸部７１が挿通されるようになっている。ボルト７０の軸部７１は、第２締付片部１３の貫通孔１８から外側（両締付片部が互いに向き合う側とは反対側であって、図２の向かって左側）に突出し、第２締付片部１３の座部１６の外面に設置されたナット６０に螺合可能とされている。そして、ボルト７０とナット６０が締め付けられることにより、ボルト７０の頭部７２とナット６０との間に挟まれた両締付片部１２、１３が互いに接近する方向に変位させられ、それとともに電極保持部１１が縮径変形させられ、もってバッテリーポスト９０に電極保持部１１が固定されるようになっている。
【００１７】
図１及び図２に示すように、第２締付片部１３は、その上下両端部を外側へ略直角に屈曲させてなる一対の第２屈曲部１９を有している。両第２屈曲部１９は、座部１６の上下両端の全縁から外側に張り出す板片状の形態とされている。図２に示すように、両第２屈曲部１９間には、第２締付片部１３の座部１６の外面に設置されたナット６０が配置されている。両第２屈曲部１９は、後述する第２バーリング部２４とともに、第２締付片部１３を補強する役割を有している。
【００１８】
図１及び図２に示すように、第１締付片部１２は、その上端部を外側（両締付片部１２、１３が互いに向き合う側とは反対側であって、図１及び図２の向かって右側）へ略直角に屈曲させてなる第１屈曲部２１を有している。第１屈曲部２１は、座部１５の上端の全縁から外側へ向けて第２屈曲部１９よりも大きい張出量をもって張り出す板片状の形態とされている。図２に示すように、第１屈曲部２１は、第１締付片部１２の座部１５の外面に設置されたボルト７０の頭部７２に当接可能とされている。
【００１９】
また、図１及び図２に示すように、第１締付片部１２は、その下端部を内側（両締付片部１２、１３が互いに向き合う側であって、図１及び図２の向かって左側）へ略直角に屈曲させてなるリブ２２を有している。リブ２２は、座部１５の下端の全縁（図３を参照）から内側へ向けて第２屈曲部１９よりも小さい張出量をもって張り出す板片状の形態とされている。図２に示すように、リブ２２は、ボルト７０とナット６０の締付時に第２締付片部１３の座部１６の内面（対向面）に当接可能に配置されることによって座部１６の内面間（対向面間）を一定の距離に保つ役割を有している。また、第１屈曲部２１及びリブ２２は、後述する第１バーリング部２３とともに、第１締付片部１２を補強する役割を有している。
【００２０】
さて、図１及び図２に示すように、両締付片部１２、１３は、それぞれ、バーリング加工により貫通孔１７、１８の開口縁から内側（両締付片部１２、１３の座部１５、１６が互いに対向する内面間）へ曲げ起こされてなるバーリング部２３、２４を有している。両締付片部１２、１３のうち、第１締付片部１２には、その貫通孔１７の開口縁の略上半部から第２締付片部１３へ向けてボルト７０の軸方向（左右方向）に沿って突出する円弧筒状（半割筒状であって）の第１バーリング部２３が設けられている。図３に示すように、第１バーリング部２３は、第１締付片部１２の貫通孔１７の開口縁の略上半部にほぼ半周に亘って形成されている。第１バーリング部２３の周方向の両端は、貫通孔１７の径方向に沿って略水平な端面２５（図３を参照）とされている。
【００２１】
上述したように、第１バーリング部２３は、第１締付片部１２においてリブ２２が位置する下端側とは反対側の上端寄りの位置に配置されている。このため、第１バーリング部２３の端面２５とリブ２２との間には、図１に示すように、上下方向に比較的大きく離間した成形用金型の設置スペース２６が確保されるようになっている。
【００２２】
図１及び図２に示すように、第２締付片部１３には、その貫通孔１８の開口縁の略下半部から第１締付片部１２へ向けてボルト７０の軸方向（左右方向）に沿って突出する円弧筒状（半割筒状）の第２バーリング部２４が設けられている。第２バーリング部２４は、第２締付片部１３の貫通孔１８の開口縁の略下半部にほぼ半周に亘って形成されている。
【００２３】
両バーリング部２３、２４は、互いに同形同大であって、互いに上下対称な位置に配置されている。図２に示すように、バーリング部２３、２４の突出寸法は、ボルト７０とナット６０の締付時に両締付片部１２、１３の座部１５、１６の内面間の距離に対応している。
【００２４】
次に、バッテリーポスト９０にバッテリーターミナル１０を取り付ける方法について説明する。
バッテリーターミナル１０の取り付けに先立ち、両締付片部１２、１３の貫通孔１７、１８にボルト７０の軸部７１を通し、第２締付片部１３の座部１６の外面に設置されたナット６０に軸部７１を緩く螺合しておく。その状態で、バッテリーポスト９０に上方からバッテリーターミナル１０の電極保持部１１を被せる。このとき、電極保持部１１は、バッテリーポスト９０に遊嵌され、両バーリング部２３、２４は、上下方向及び左右方向に関して重なることなく離間して配置される。
【００２５】
続いて、ナット６０にボルト７０の軸部７１を深くねじ込む。すると、両締付片部１２、１３が互いに接近して、電極保持部１１が次第に縮径変形させられる。図２に示すように、ボルト７０とナット６０が正規に締め付けられると、電極保持部１１がバッテリーポスト９０の外周面に周方向に沿うように当接して、電極保持部１１がバッテリーポスト９０に固定される。その結果、バッテリーターミナル１０がバッテリーポスト９０に取り付けられて保持される。
【００２６】
図２に示すように、ボルト７０とナット６０が正規に締め付けられると、両締付片部１２、１３の座部１５、１６の内面間において、第１バーリング部２３が第２バーリング部２４の上方に積み重なるように配置され、両バーリング部２３、２４の周方向の両端同士が上下方向で互いに当接又は近接して配置される。このため、図２に示すように、両バーリング部２３、２４は、両締付片部１２、１３の座部１５、１６の内面間の中央部を通る縦軸の軸線Ｘにオーバーラップするように、軸線Ｘの軸線方向において互いに重なるように配置される。
【００２７】
また、両締付片部１２、１３の座部１５、１６の内面間において、貫通孔１７、１８の周囲に、貫通孔１７、１８と同心の円上に沿って連続するように配置される。端的には、ボルト７０とナット６０の締付時に、両バーリング部２３、２４が周方向に実質的に連続して配置され、これによって完成形態としての円筒状のバーリング部を形成することができるようになっている。
【００２８】
さらに、ボルト７０とナット６０の締付時には、第１バーリング部２３の突出端面が第２締付片部１３の座部１６の内面における貫通孔１８の開口縁の略上半部に対し周方向に沿って当接可能に配置されるとともに、第２バーリング部２４の突出端面が第１締付片部１２の座部１５の内面における貫通孔１７の開口縁の略下半部に対し周方向に沿って当接可能に配置される。これにより、両締付片部１２、１３のそれ以上の接近動作が阻止され、両締付片部１２、１３の座部１５、１６の内面間の距離が適正に保たれる。なお、リブ２２の突出端面が第２締付片部１３の座部１６の内面に当接可能に配置されることによっても、両締付片部１２、１３の過度な接近動作を抑えることが可能とされている。
【００２９】
以上説明したように、本実施例１によれば、両締付片部１２、１３の貫通孔１７、１８の周囲に円弧筒状のバーリング部２３、２４が一体に設けられているため、ボルト７０のナット６０の締付時に両締付片部１２、１３が湾曲変形する事態を回避することができる。
【００３０】
また、両締付片部１２、１３のバーリング部２３、２４が締付時に両締付片部１２、１３の座部１５、１６の内面間の中央部を通る軸線Ｘの軸線方向において互いに重なるように配置されているため、両バーリング部２３、２４の突出寸法を確保することができるのに加え、両締付片部１２、１３の座部１５、１６の内面間の距離を小さく抑えることができる。その結果、バッテリーポスト９０に対する所定の保持力を確保することができる。とくに、本実施例の場合、両締付片部１２、１３の座部１５、１６の内面間の距離が１つのバーリング部２３、２４の突出寸法によって規定されるため、両締付片部１２、１３の座部１５、１６の内面間の距離を充分に小さく抑えることができる。
【００３１】
また、第１締付片部１２の貫通孔１７の開口縁部の略下半部にはバーリング加工が施されていない点に着目し、第１バーリング部２３とリブ２２との間に、上下方向に比較的大きな成形用金型の設置スペース２６が確保されるようにしたため、この設置スペース２６に設置される成形用金型によって、第１締付片部１２のバーリング部２３とリブ２２を支障なく成形することができる。
【００３２】
＜請求項２＞
図４及び図５は、本発明の実施例２を示す。本実施例２のバッテリーターミナル１０Ａは、第１締付片部１２Ａに設けられた第１バーリング部２３Ａと、第２締付片部１３Ａに設けられた第２バーリング部２４Ａのそれぞれの形態が実施例１と異なる。その他は、実施例１と同様であるため、実施例１と同様又は相当する構造には同一符号を付し、重複する説明を省略する。
【００３３】
第１バーリング部２３Ａは、第１締付片部１２Ａの貫通孔１７Ａの開口縁の略全縁から第２締付片部１３Ａへ向けてボルト７０の軸方向（左右方向）に沿って突出する形態とされている。そして、第１バーリング部２３Ａは、実質的に第１締付片部１２Ａの貫通孔１７Ａの開口縁の全周に亘って側面視円状に形成されている。また、第１バーリング部２３Ａは、その上端から下端にかけて次第に突出寸法を減少させる正面視略直角三角形状をなし、その下端では突出寸法が実質的に０となって第１締付片部１２Ａの座部１５Ａの内面に連なっている。図５に示すように、第１バーリング部２３Ａは、両締付片部１２Ａ、１３Ａの座部１５Ａ、１６Ａの内面間を通る縦軸の軸線Ｘの軸線方向に対して所定の傾斜角をもって下向きに傾斜するテーパ状の第１傾斜縁２８を有している。第１バーリング部２３Ａの第１傾斜縁２８とリブ２２との間には、実施例１と同様、上下方向に比較的大きく離間した成形用金型の設置スペース２６Ａが確保されている。
【００３４】
第２バーリング部２４Ａは、第２締付片部１３Ａの貫通孔１８Ａの開口縁の略全縁から第１締付片部１２Ａへ向けてボルト７０の軸方向（左右方向）に沿って突出する形態とされている、そして、第２バーリング部２４Ａは、実質的に第２締付片部１３Ａの貫通孔１８Ａの開口縁の全周に亘って側面視円状に形成されている。また、第２バーリング部２４Ａは、その下端から上端にかけて次第に突出寸法を減少させる正面視略直角三角形状をなし、その上端では突出寸法が実質的に０となって第２締付片部１３Ａの座部１６Ａの内面に連なっている。図５に示すように、第２バーリング部２４Ａは、両締付片部１２Ａ、１３Ａの座部１５Ａ、１６Ａの内面間を通る縦軸の軸線Ｘの軸線方向に対して所定の傾斜角をもって上向きに傾斜するテーパ状の第２傾斜縁２９を有している。
【００３５】
第２傾斜縁２９の傾斜角は、第１傾斜縁２８の傾斜角とほぼ同一とされている。そして、両バーリング部２３Ａ、２４Ａは、互いに同形同大であって、図５に示すように、両締付片部１２Ａ、１３Ａの座部１５Ａ、１６Ａの内面間の中心Ｙに対して実質的に点対称の位置に配置されている。
【００３６】
ここで、図５に示すように、ボルト７０とナット６０が正規に締め付けられると、両バーリング部２３Ａ、２４Ａの相互の傾斜縁２８、２９がボルト７０の軸方向（左右方向）で互いに突き合わされるように配置され、両締付片部１２Ａ、１３Ａの座部１５Ａ、１６Ａの内面間の距離が一定に保たれた状態になる。このとき、両バーリング部２３Ａ、２４Ａは、実施例１と同様、両締付片部１２Ａ、１３Ａの座部１５Ａ、１６Ａの内面間の中央部を通る軸線Ｘにオーバーラップするように、軸線Ｘの軸線方向において互いに重なるように配置される。したがって、ボルト７０のナット６０の締付時に、両バーリング部２３Ａ、２４Ａが互いに突き合わされるように配置されることにより、両締付片部１２Ａ、１３Ａの座部１５Ａ、１６Ａの内面間に、上下方向に一定の突出寸法をもって連なる円筒状のバーリング部が実質的に形成されるようになっている。本実施例２によれば、ボルト７０のナット６０の締付時に、両バーリング部２３Ａ、２４Ａの傾斜縁２８、２９同士が両締付片部１２Ａ、１３Ａの接近方向で互いに突き合わされるよう配置されるため、両バーリング部２３Ａ、２４Ａの突き合わせを回避する設定にする必要がなく、製造が容易になる。
【００３７】
＜他の実施例＞
以下、他の実施例を簡単に説明する。
（１）実施例１及び実施例２において、両締付片部のバーリング部は、締付時に貫通孔の周囲に配置されていればよく、例えば、貫通孔の周囲の左右両側に分かれて配置されるものであってもよい。
（２）実施例１及び実施例２において、両締付片部のバーリング部は、締付時に必ずしも両締付片部の座部の対向面間の中央を通る軸線でオーバーラップしていなくてもよく、軸線と平行な軸線方向で互いに重なる位置に配置されるものであればよい。
（３）実施例１では、締付時に両バーリング部が径方向に大きく離間して配置されるものであってもよい。
（４）両締付片部から第１屈曲部、第２屈曲部及びリブの全部又は一部を省略してもよい。
（５）両締付片部は、バッテリーポストの軸方向（上下方向）に対して傾斜して配置されるものであってもよい。
【符号の説明】
【００３８】
１０、１０Ａ…バッテリーターミナル
１１…電極保持部
１２、１２Ａ…第１締付片部（一方の締付片部）
１３、１３Ａ…第２締付片部（他方の締付片部）
１７…第１締付片部の貫通孔
１８…第２締付片部の貫通孔
２２…リブ
２３、２３Ａ…第１バーリング部（一方の締付片部のバーリング部）
２４、２４Ａ…第２バーリング部（他方の締付片部のバーリング部）
２６、２６Ａ…設置スペース
６０…ナット
７０…ボルト
７１…軸部
９０…バッテリーポスト
Ｘ…軸線
【図１】
2016091754.tif 000003
【図２】
2016091754.tif 000004
【図３】
2016091754.tif 000005
【図４】
2016091754.tif 000006
【図５】
2016091754.tif 000007